(57)【要約】【課題】頂板外周部から内外両筒を垂下するキャップ本体と、該キャップ本体上面へ嵌合させた蓋体とを各後部でヒンジ連結し、蓋体開蓋でキャップ本体頂壁に付設した小ノズルから液体注出可能とする蓋体付きキャップにおいて、蓋体開放操作が容易とした。【解決手段】上記キャップ本体外筒５上部の左右両部と頂板３の左右両部とを共に切欠き、これ等切欠き下方の外筒左右下部部分へ上面開口の細長孔８、８を穿設し、上記ノズル２を遊挿させた透孔１２付き板バネ１３を頂板３上へ載置させて両端から垂設した弾性押板１４、１４下端を上記細長孔８、８内へ嵌着させた操作部材１１を設け、又弾性押板１４、１４の上端と該上端と対向する蓋体周壁２４部分とには凹凸の係合手段を設け、押板１４、１４内方押込みで係合手段が外れると共に板バネ１３が上方弯曲して、ノズル２外面へ嵌合する蓋体小筒部２５を介して蓋体２１を押上げ可能に形成した。【選択図】図３
2004352319.tif 000002
【特許請求の範囲】
【請求項１】
注出孔２ａを有する頂板３から、容器体口頸部外面へ嵌合させる内筒４と該内筒を囲む外筒５とを垂下し、かつ外筒上端部を上向き段部６を介して小外径部７とするキャップ本体１と、上記注出孔密閉部付き頂壁２３外周から周壁２４を垂下した蓋体２１とを、各後部でヒンジ連結して、該ヒンジを中心とする回動で蓋体２１の回動が自在に形成したキャップにおいて、
上記キャップ本体外筒５上部と頂板３の左右両部を共に切欠き、これ等両切欠き下方の外筒部分へ上面開口の孔ないし穴を穿設し、
上記注出孔を露出する透孔１２付き板バネ１３を頂板３上へ載置させて該板バネ両端から、外筒切欠き部分へ延設した弾性押板１４、１４下端を上記孔等内へ嵌着させた操作部材１１を設け、
又押板１４、１４の上端部外面へは蓋体周壁下部を嵌合させる上記小外径部７の一部を形成する小外径部部分７ａを付形すると共に、小外径部部分６ａ上端と該上端と対向する蓋体周壁部分とには凹凸の係合手段を設け、
両押板内方押込みにより上記係合手段が離脱すると共に板バネ１３が上方へ弯曲して、上記注出孔を密閉して蓋体頂壁から垂下する筒ないし棒状部２５を介して蓋体２１を押上げ可能に形成した
ことを特徴とする蓋体付きキャップ。
【請求項２】
板バネ１３の左右両部下面へ突部１６、１６を、かつ頂板３の左右へ上昇斜面９、９を、それぞれ付形し、押板１４、１４内方押込み時に突部１６、１６が上昇斜面に沿って上昇可能に形成した
ことを特徴とする請求項１記載の蓋体付きキャップ。
【請求項３】
上向き段部部分６ａ、６ａ直ぐ下方の押板部分外面へ、外筒５周面から外方へ突出させて押釦状突部１４ａ、１４ａを付設した
ことを特徴とする、請求項１又は２記載の蓋体付きキャップ。
【発明の詳細な説明】
【０００１】
【発明の属する技術分野】
本発明は液体等注出用の蓋体付きキャップに関する。
【０００２】
【従来の技術】
小ノズルを起立する頂板から容器体口頸部外面へ嵌合させる内筒と該内筒を囲む外筒とを垂下し、該外筒上端部を小外径筒部とするキャップ本体と、上記小ノズル外面へ嵌合して密閉する小筒部を下面に有する頂壁外周から周壁を垂下して、該周壁下端部を上記小外径筒部へ嵌合させた蓋体とを、各後部でヒンジ連結し、該ヒンジを中心とする回動で蓋体の開閉が自在とし、又容器体外筒の左右両上半部を外筒から切離して弾性板に形成し、これ等弾性板を内方へ押込むと蓋体頂壁の裏面から垂下させた突部の斜面へ弾性板上端から延長された先端部が圧接して、突部を介して蓋体前部を押上げするよう設けた蓋体付きキャップが知られている（特許文献１）。
【０００３】
【特許文献１】
特許第３２７３３５９号公報
【０００４】
【発明が解決しようとする課題】
本発明も上記従来例のような小ノズル付きのキャップ本体後部へ、小ノズル密閉用の小筒部付き蓋体後部をヒンジ連結させて、蓋体を嵌合させたキャップに関するものであり、従来と異る機構での開蓋が容易としたものである。
【０００５】
【課題を解決するための手段】
第１の手段として、注出孔２ａを有する頂板３から、容器体口頸部外面へ嵌合させる内筒４と該内筒を囲む外筒５とを垂下し、かつ外筒上端部を上向き段部６を介して小外径部７とするキャップ本体１と、上記注出孔密閉部付き頂壁２３外周から周壁２４を垂下した蓋体２１とを、各後部でヒンジ連結して、該ヒンジを中心とする回動で蓋体２１の回動が自在に形成したキャップにおいて、
上記キャップ本体外筒５上部と頂板３の左右両部を共に切欠き、これ等両切欠き下方の外筒部分へ上面開口の孔ないし穴を穿設し、
上記注出孔を露出する透孔１２付き板バネ１３を頂板３上へ載置させて該板バネ両端から、外筒切欠き部分へ延設した弾性押板１４、１４下端を上記孔等内へ嵌着させた操作部材１１を設け、
又押板１４、１４の上端部外面へは蓋体周壁下部を嵌合させる上記小外径部７の一部を形成する小外径部部分７ａを付形すると共に、小外径部部分６ａ上端と該上端と対向する蓋体周壁部分とには凹凸の係合手段を設け、
両押板内方押込みにより上記係合手段が離脱すると共に板バネ１３が上方へ弯曲して、上記注出孔を密閉して蓋体頂壁から垂下する筒ないし棒状部２５を介して蓋体２１を押上げ可能に形成した。
【０００６】
第２の手段として、板バネ１３の左右両部下面へ突部１６、１６を、かつ頂板３の左右へ上昇斜面９、９を、それぞれ付形し、押板１４、１４内方押込み時に突部１６、１６が上昇斜面に沿って上昇可能に形成した。
【０００７】
第３の手段として、上記第１又は第２の手段を有すると共に上向き段部部分６ａ、６ａ直ぐ下方の押板部分外面へ、外筒５周面から外方へ突出させて押釦状突部１４ａ、１４ａを付設した。
【０００８】
【発明の実施の形態】
以下図面について説明すると、１はキャップ本体であり、該キャップ本体は、左右方向へ長い楕円形状としており、ノズル２を起立する頂板３から、図２が示すように容器体口頸部の外面へ嵌合させる内筒４と該内筒４を囲んで外筒５を垂下し、外筒上端部は図１のように上向き段部６を介して小外径筒部７に形成している。内筒４は口頸部嵌合のため眞円としており、外筒５は楕円形状をなす。上記ノズル２は半球形状をなし、その上部前面を斜面として該斜面中心に注出孔２ａを開口させている。
【０００９】
上記外筒５の左右両部と、これ等両部内方の頂板３左右両部とは共に切欠き、これ等切欠き下方の外筒左右下部部分へは、上面開口の細長孔８、８ないし穴を穿設する。又上記頂板切欠き部分の内端部上面へは、上内方への上昇斜面９、９を形成している。
【００１０】
１１は操作部材で、上記ノズル２を遊挿させた透孔１２付き板バネ１３を頂板３上へ載置させて、該板バネ両端から上記外筒切欠き部分へ弾性押板１４、１４を垂下し、これ等両押板下端部を上記細長孔８、８内へ嵌着させている。これ等嵌合部分の下端部へは返しを付設してこれ等返しを細長孔下部内面へ形成した下向き段部下面へ係合させ、又その嵌合部分上端へは下向き段部を設けて細長孔上縁へ係合させ、もって押板１４、１４を押下げおよび引抜きが不能としている。押板１４、１４の上端部外面へは、既述上向き段部６および小外径部７の各一部を形成する上向き段部部分６ａと小外径部部分７ａとを付形しており、又その小外径部部分上端外面へは係合突条１５、１５を横設している。上記上向き段部６ａ、６ａ直ぐ下方の押板部分外面へは、外筒５周面から外方突出させて押釦状突部１４ａ、１４ａを付設するとよい。又板バネ１３左右両部の下面へ突部１６、１６を付設し、これ等突部の下面内端縁を、既述上昇斜面９、９の下部上面へ当接させている。尚図示例では頂板３上面へ、上記板バネ１３を嵌合させる凹溝３ａを穿設しており、図１が示すように、その凹溝内への板バネ嵌合状態で、頂板３上面と板バネ１３上面とが面一となるよう設けている。
【００１１】
２１は蓋体で、該蓋体はキャップ本体１の後方上部へヒンジ２２を介して連結させている。該ヒンジは弾性反転可能なヒンジで行うとよく、該ヒンジを中心とする回動により蓋体２１はキャップ本体上面へ嵌合可能に形成する。該嵌合時において、頂壁２３外周から垂下する周壁２４下部を小外径部７および小外径部部分７ａ外面へ嵌合させ、又周壁下端面を上向き段部６および上向き段部部分６ａ上面へ載置可能にしている。該蓋体もキャップ本体と同様に平面楕円形状としている。
【００１２】
該蓋体は既述ノズル２外面へ嵌合させて注出孔２ａを密閉できる小筒部２５を垂下する。該小筒部下端は図２が示すように閉蓋時に、既述透孔１２周縁の板バネ部分上面へ接し、ないし近接するよう設けておく。又既述係合突条１５、１５と対向する周壁部分へは、その係合突条が嵌合する係合孔２６、２６を穿設している。これ等係合突条１４と係合孔２６とは凹凸の係合手段を形成し、これ等は逆にしてもよい。尚蓋体周壁２４の前面へは開蓋用の滑り止め突部２７を付設している。
【００１３】
上記キャップ本体と蓋体とは合成樹脂材で一体成形しており、又操作部材１１も合成樹脂材で形成している。
【００１４】
上記構成において、図２が示す閉蓋状態から押板１４、１４を内方押込みすると、図３が示すように、上記係合突条１５が係合孔２６内から外れると同時に板バネ１３が上方へ弯曲し、該弯曲により蓋体頂壁下面から垂下する小筒部２５下端面が押上げられることで蓋体２１前部が図４のように上昇する。よって該状態から蓋体を開けばよい。
【００１５】
上記押込み解放により押板１４、１４および板バネ１３は弾性復元するから、蓋体２１をヒンジ２２を中心に回動させて閉蓋すればよい。尚既述注出孔２ａと該注出孔を密閉する蓋体頂壁の密閉部とは、どのようなものでもよく、例えば注出孔２ａを半球形状のノズル２の頂面に穿設して、小筒部２５が囲む頂壁部分中心から垂下させた棒状栓下端が、閉蓋時に注出孔に嵌合して密閉するよう設けてもよく、又その注出孔をキャップ本体頂板へ直接穿設しておき、蓋体頂壁から垂下させた棒状部下端面中心へ付設した栓が上記注出孔を密閉し、かつ棒状部下端面が頂板に穿設した透孔１２の外周部上面へ接するよう形成してもよい。
【００１６】
【発明の効果】
本発明は既述構成とのように形成するもので、請求項１記載のように形成することで、外筒左右に位置する押板１４、１４内方押込みで板バネ１３が上方弯曲して蓋体２１の小筒部２５を介して蓋体を押上げすることとなり、よって開蓋操作が容易である。
【００１７】
請求項２のようにすることで、板バネ１３を弯曲させ易くなり、開蓋操作は更に容易となる。
【００１８】
請求項３のようにすることで、押板１４、１４の内方押込みが容易となる。
【図面の簡単な説明】
【図１】本発明キャップを開蓋状態で示す斜視図である。
【図２】図１キャップを閉蓋状態で示す断面図である。
【図３】図２状態から開蓋操作を行った状態で示す断面図である。
【図４】図３の状態から更に蓋体を押上げた状態で示す斜視図である。
【符号の説明】
１…キャップ本体                    ２…ノズル
３…頂板                  ４…内筒
５…外筒                  ６…上向き段部
７…小外径部                            ８…細長孔
９…上昇斜面                          １１…操作部材
１２…透孔                  １３…板バネ
１４…押板                  １５…係合突条
１６…突部                  ２１…蓋体
２２…ヒンジ                ２５…小筒部
２６…係合孔
【図１】
2004352319.tif 000003
【図２】
2004352319.tif 000004
【図３】
2004352319.tif 000005
【図４】
2004352319.tif 000006